(57)【要約】【課題】クレードルのロック機構部に埃が進入したとしてもその埃によってロック機構部が動作不良になることがないようにする。【解決手段】側面突出カバー部２０に形成された爪収納部３８に進退自在に収容される爪部２４がクレードルに着脱される携帯情報端末をロックすることができるロック機構部において、爪収納部３８内で爪部２４が摺動する摺動面４２の両側に爪部２４の進退方向に沿って埃排出溝孔４４が穿設されている。この埃排出溝孔４４は、クレードルの内部を通ってその外部まで連通されている。爪部２４は、その基部２４ｂの底面の両縁端部が傾斜面５０ａになっていて、爪収納部３８の両壁３８ａ，３８ｂと摺動面４２とともに三角柱形状の空間を形成し、埃排出溝孔４４に連通している。これにより、爪部２４によって爪収納部３８の中に引込まれた埃は、埃排出溝孔４４から排出されるようになり、埃によるロック機構部の動作不良が大幅に低減される。【選択図】図７
2014073038.tif 000002
【特許請求の範囲】
【請求項１】
携帯情報端末の着脱時に前記携帯情報端末を固定または解除のためのロック機構部を備えたクレードルにおいて、
前記携帯情報端末を載置する載置台と、
前記載置台を挟んで対向配置された側面突出カバー部と、
前記側面突出カバー部にそれぞれ形成された爪収納部と、
前記ロック機構部の一部をなすものであって前記爪収納部にそれぞれ互いの方向に進退自在に収容されていて前記携帯情報端末にそれぞれ凹設された嵌合凹部と嵌合または前記嵌合凹部から離脱可能な爪部と、
前記爪収納部内の前記載置台と同じ平面上の摺動面の両側に前記爪部の進退方向に沿って穿設された埃排出溝孔と、
を備えていることを特徴とするクレードル。
【請求項２】
前記爪部は、前記埃排出溝孔に対応する角の縁端部に空間が設けられていることを特徴とする請求項１記載のクレードル。
【請求項３】
前記埃排出溝孔は、その外側の辺が前記爪収納部の両壁と同じ平面上に形成されていることを特徴とする請求項１記載のクレードル。
【請求項４】
前記埃排出溝孔は、前記クレードルの内部空間に連通され、前記内部空間は、さらに前記クレードルの外部に連通されていることを特徴とする請求項１ないし３のいずれか１項に記載のクレードル。
【請求項５】
前記爪収納部は、その両壁の前記摺動面から離れた位置に前記爪部の進退方向に沿って埃排出溝が形成されていることを特徴とする請求項１記載のクレードル。
【請求項６】
前記埃排出溝は、前記クレードルの内部空間に連通され、前記内部空間は、さらに前記クレードルの外部に連通されていることを特徴とする請求項５記載のクレードル。
【発明の詳細な説明】
【技術分野】
【０００１】
本発明はクレードルに関し、特に携帯情報端末を載置したときに携帯情報端末が容易に外れることがないように携帯情報端末を保持することができるロック機構部を備えたクレードルに関する。
【背景技術】
【０００２】
携帯情報端末を載置するだけで充電や通信をすることができるクレードルが知られている。クレードルは、通常は所定の場所に水平状態に置かれていて携帯情報端末を載置することで双方の充電端子が相互に電気的に接触し、充電が行われる。クレードルは、また、壁などに垂直状態で設置されて使用される場合もある。
【０００３】
運輸業界や流通業界では、ハンディターミナルのような業務用の携帯情報端末がデータ収集端末として利用されており、そのためのクレードルは、トラックなどに設置されることが多い。トラックなどでの使用が想定されるクレードルは、載置された携帯情報端末が振動などによって外れることがないよう携帯情報端末を保持することができるロック機構部を備えている。このロック機構部は、携帯情報端末が載置される載置台周囲の対向する側壁から内側へ付勢された状態で突出された爪部を有している。その爪部に携帯情報端末を載せて押し込むと、爪部は、付勢力に抗して外側へ待避され、さらに携帯情報端末を押し込むと、携帯情報端末の側面に凹設された凹部に内側へ付勢されている爪部が嵌るようになる。これにより、携帯情報端末は、ロック機構部によってクレードルに固定されることになる。
【０００４】
ところで、業務用の携帯情報端末は、霧や雨が降っていたり砂塵が舞っていたりしている屋外または塵埃の多い倉庫の中など、厳しい環境で運用されることが多い。そのため、そのような環境で使用された携帯情報端末は、埃が付着した状態でクレードルへ載置されることになる。そのような埃は、携帯情報端末からクレードルへ移され、次第にクレードルに蓄積していって、時間経過とともにクレードルが動作不良に陥る場合がある。たとえば、埃が充電または信号用の端子に溜ると、端子間でショートが発生したりそれによる火災が発生したりすることがある。このような埃対策として、ターミナルブロックに排出側開口部を設け、ターミナルブロック内部へ流入した埃や異物を外部へ排出するようにした構成が提案されている（たとえば、特許文献１参照）。
【先行技術文献】
【特許文献】
【０００５】
【特許文献１】特開２００８−２３６８８２号公報
【発明の概要】
【発明が解決しようとする課題】
【０００６】
しかしながら、携帯情報端末に付着した埃は、ロック機構部にも付着して蓄積することがあり、そのような場合には、埃が爪部の摺動部へ侵入すると爪部が固着して、遂には、携帯情報端末の着脱が不可能になることがあるという問題点があった。
【０００７】
本発明はこのような点に鑑みてなされたものであり、ロック機構部に埃が進入したとしてもその埃によってロック機構部が動作不良になる可能性を低減したクレードルを提供することを目的とする。
【課題を解決するための手段】
【０００８】
本発明では上記の課題を解決するために、携帯情報端末の着脱時に前記携帯情報端末を固定または解除のためのロック機構部を備えたクレードルにおいて、前記携帯情報端末を載置する載置台と、前記載置台を挟んで対向配置された側面突出カバー部と、前記側面突出カバー部にそれぞれ形成された爪収納部と、前記ロック機構部の一部をなすものであって前記爪収納部にそれぞれ互いの方向に進退自在に収容されていて前記携帯情報端末にそれぞれ凹設された嵌合凹部と嵌合または前記嵌合凹部から離脱可能な爪部と、前記爪収納部内の前記載置台と同じ平面上の摺動面の両側に前記爪部の進退方向に沿って穿設された埃排出溝孔と、を備えていることを特徴とするクレードルが提供される。
【０００９】
このようなクレードルによれば、爪部の摺動面に埃排出溝孔を設けたことで、携帯情報端末に付着していた埃が爪部に付着したとしても、その埃は、埃排出溝孔を介して排出されるので、埃が摺動面などに噛み込んで爪部が固着してしまうことが低減される。
【発明の効果】
【００１０】
上記構成のクレードルは、埃排出溝孔を設けて埃を溜り難くしたので、ロック機構部における固着などの動作不良の可能性が低減され、定期的な清掃作業といったメンテナンス工数を低減できるという利点がある。
【図面の簡単な説明】
【００１１】
【図１】本発明の実施の形態に係るクレードルおよび携帯情報端末の使用状態を示す斜視図である。
【図２】本発明の実施の形態に係るクレードルの外観形状を示す斜視図である。
【図３】本発明の実施の形態に係るクレードルに携帯情報端末を載置した状態を示す平面図である。
【図４】ロック機構部を示す図３のＡ−Ａ矢視断面図である。
【図５】ロック機構部の構成例を示す図である。
【図６】ロック機構部の爪部が収容される爪収容部を示す部分拡大図である。
【図７】ロック機構部の爪部を示す図であって、（Ａ）は爪部を摺動方向内側から見た図、（Ｂ）、（Ｃ）および（Ｄ）は爪部の変形例を示す図である。
【図８】本発明の実施の形態に係るクレードルを縦置きにした状態を示す爪収容部の部分拡大図である。
【発明を実施するための形態】
【００１２】
以下、本発明の実施の形態について、トラックなどの車両に設置される場合を例に図面を参照して詳細に説明する。
図１は本発明の実施の形態に係るクレードルおよび携帯情報端末の使用状態を示す斜視図、図２は本発明の実施の形態に係るクレードルの外観形状を示す斜視図である。
【００１３】
本発明の実施の形態に係るクレードル１０は、中央に携帯情報端末１２が載置される載置台１４を有し、その周囲が側面カバー１６によって覆われている。載置台１４および側面カバー１６によって囲まれた内部には、必要に応じて、充電回路、通信回路などが収容されている。
【００１４】
側面カバー１６は、その一部が載置台１４よりも突出した側面突出カバー部１８，２０，２２を有している。側面突出カバー部１８は、長方形の載置台１４の一方の短辺近傍に沿ってコ字状に形成されている。側面突出カバー部１８は、携帯情報端末１２を載置台１４に載置したときに携帯情報端末１２の一部がコ字状の凹部に嵌って携帯情報端末１２を位置決めし、携帯情報端末１２の充電用などの端子が内部に収容された対応する端子と正しく接触できるようにしている。
【００１５】
側面突出カバー部２０，２２は、載置台１４の長辺の側面突出カバー部１８が設けられている側とは反対側の端であって互いに対向した位置に形成されている。この側面突出カバー部２０，２２は、それぞれ爪部２４，２６を収容しており、それぞれの爪部２４，２６は、互いの方向に進退可能に配置されている。爪部２４，２６は、通常は、一部が側面突出カバー部２０，２２から内側へ突出するよう付勢されており、載置台１４に携帯情報端末１２が載置されたときには、その付勢力によって、携帯情報端末１２を固定するようにしている。
【００１６】
側面カバー１６は、また、側面突出カバー部２０，２２よりも側面突出カバー部１８の側に、ロックレバー２８，３０が設けられている。このロックレバー２８，３０は、側面突出カバー部２０，２２の爪部２４，２６と内部でリンクされていて、携帯情報端末１２を取り外すときに爪部２４，２６を互いに側面突出カバー部２０，２２の中に待避させる方向に駆動して固定を解除するのに使用される。ロックレバー２８，３０は、互いに外側となる外表面にそれぞれ複数条の溝（図示では、ロックレバー３０の溝３０ａのみ表示）が形成されている。これにより、携帯情報端末１２の固定を解除して携帯情報端末１２を取り外す操作を行うときに、溝３０ａは、滑り止めの機能を有する。ロックレバー２８，３０は、外側が載置台１４の面より高く、互いに対向する内側の面に楔の形状の斜面２８ｂ，３０ｂが形成されている。これにより、ロックレバー２８，３０を互いに内側に移動させて、携帯情報端末１２の固定を解除した後に、さらにロックレバー２８，３０を互いに内側に移動させることで、斜面２８ｂ，３０ｂが携帯情報端末１２をその固定位置から押し上げる機能を有する。
【００１７】
次に、このクレードル１０のロック機構部の構成について説明する。
図３は本発明の実施の形態に係るクレードルに携帯情報端末を載置した状態を示す平面図、図４はロック機構部を示す図３のＡ−Ａ矢視断面図、図５はロック機構部の構成例を示す図である。
【００１８】
クレードル１０に携帯情報端末１２を載置した状態では、ロック機構部が携帯情報端末１２の側面を挟み込んで固定する。すなわち、携帯情報端末１２は、両側面にそれぞれ凹設された嵌合凹部１２ａ，１２ｂを有し、クレードル１０のロック機構部の爪部２４，２６には、嵌合凸部２４ａ，２６ａが形成されている。そこで、携帯情報端末１２の嵌合凹部１２ａ，１２ｂに爪部２４，２６の嵌合凸部２４ａ，２６ａが嵌合することで、携帯情報端末１２がクレードル１０の爪部２４，２６に固定される。また、携帯情報端末１２の嵌合凹部１２ａ，１２ｂからクレードル１０の嵌合凸部２４ａ，２６ａが離脱することで、携帯情報端末１２が爪部２４，２６から解放される。
【００１９】
また、この実施の形態では、ロック機構部の爪部２４，２６は、載置台１４の面と摺動する基部２４ｂ，２６ｂが嵌合凸部２４ａ，２６ａの突出方向にその突出量よりも長く延出されている。これにより、嵌合凸部２４ａ，２６ａが嵌合凹部１２ａ，１２ｂに嵌合するとき、爪部２４，２６の基部２４ｂ，２６ｂは、携帯情報端末１２の底面を支持するようになる。
【００２０】
ロック機構部は、図４および図５に示したように、爪部２４，２６と、ロックレバー２８，３０と、アーム３２，３４と、コイルばね３６とを備えている。アーム３２，３４は、ロックレバー２８，３０を載置台１４の方へ移動したとき（ロックレバー２８，３０を互いに内側へ押したとき）、爪部２４，２６を載置台１４から離れる方向に移動させる。コイルばね３６は、爪部２４，２６の移動方向と逆方向にアーム３２，３４を移動させるように付勢する。
【００２１】
すなわち、アーム３２は、載置台１４の短辺をほぼ横切るような長さを持ったスライドベース３２ａを有し、そのスライドベース３２ａの一方の長辺（図５の上）側には壁３２ｂが図４，５に示す左端から略中央位置に亘って立設されている。壁３２ｂは、また、図４に示す左端位置から上方に爪部取付部３２ｃが延出されており、爪部取付部３２ｃには、爪部２４が取り付けられている。スライドベース３２ａは、また、他方の長辺（図５の下）の、爪部取付部３２ｃが設けられている側とは反対側にロックレバー取付部３２ｄが延出されており、そのロックレバー取付部３２ｄの先端側には、ロックレバー３０が取り付けられている。スライドベース３２ａは、さらに、ロックレバー取付部３２ｄが設けられている長辺側であって爪部取付部３２ｃが設けられている側とは反対側にコイルばね３６の一端を掛止するばね掛止部３２ｅが形成されている。アーム３２は、適当な形状に打ち抜かれた板金を折り曲げ加工することによって、スライドベース３２ａ、壁３２ｂ、爪部取付部３２ｃ、ロックレバー取付部３２ｄおよびばね掛止部３２ｅが一体になって形成されている。
【００２２】
他方のアーム３４は、図４，５で見てアーム３２とほぼ左右対称に形成され、スライドベース３４ａ、壁３４ｂ、爪部取付部３４ｃ、ロックレバー取付部３４ｄおよびばね掛止部３４ｅを有している。アーム３４の爪部取付部３４ｃには、爪部２６が取り付けられ、ロックレバー取付部３４ｄの先端側には、ロックレバー２８が取り付けられ、ばね掛止部３４ｅには、コイルばね３６の他端が掛止されている。
【００２３】
アーム３２，３４は、図４に示したように、スライドベース３２ａ，３４ａが重なるように配置されており、コイルばね３６によって互いに接近する方向に付勢されている。この付勢力は、爪部２４，２６の嵌合凸部２４ａ，２６ａが携帯情報端末１２の嵌合凹部１２ａ，１２ｂに嵌合するときの付勢力となり、これによって、車両の通常の振動では、携帯情報端末１２がクレードル１０から外れることがないようにしている。また、ロックレバー２８，３０に親指とたとえば人差し指とを当てて互いに接近する方向に移動させると、スライドベース３２ａ，３４ａを介して爪部２４，２６がコイルばね３６の付勢力に抗して互いに離れる方向（外側方向）に移動する。これにより、クレードル１０の爪部２４，２６が側面突出カバー部２０，２２の中に待避するようになり、爪部２４，２６の嵌合凸部２４ａ，２６ａが携帯情報端末１２の嵌合凹部１２ａ，１２ｂから抜け出て、携帯情報端末１２がクレードル１０から外れることになる。
【００２４】
図６はロック機構部の爪部が収容される爪収容部を示す部分拡大図、図７はロック機構部の爪部を示す図であって、（Ａ）は爪部を摺動方向内側から見た図、（Ｂ）、（Ｃ）および（Ｄ）は爪部の変形例を示す図、図８は本発明の実施の形態に係るクレードルを縦置きにした状態を示す爪収容部の部分拡大図である。
【００２５】
爪部２４，２６は、側面突出カバー部２０，２２の中に形成される爪収納部に進退自在に収容される。図６は、たとえば側面突出カバー部２０に形成された爪収納部３８を示している。
【００２６】
爪収納部３８は、爪部２４の形状に合わせて四角形の開口部４０を有し、その奥には、載置台１４の上面と同じレベルに形成された摺動面４２を有している。この摺動面４２は、爪部２４の基部２４ｂを支持する面であり、クレードル１０に対して携帯情報端末１２を着脱するとき、爪部２４の基部２４ｂが摺動する面でもある。
【００２７】
爪収納部３８の開口部４０から見た摺動面４２の両側（すなわち、載置台１４の長手方向両側）には、爪部２４の進退方向に沿って埃排出溝孔４４が穿設されている。この埃排出溝孔４４は、好ましくは、それらの外側の辺が爪収納部３８の両壁３８ａ，３８ｂと同じ平面上に形成されており、爪収納部３８の両壁３８ａ，３８ｂとの間に段差が形成されないようにしている。この埃排出溝孔４４は、クレードル１０の内部に連通されており、さらに、必要に応じて、クレードル１０の外部まで連通されている。
【００２８】
爪収納部３８は、また、両壁３８ａ，３８ｂの上部に、爪部２４の進退方向に沿って埃排出溝４６ａ，４６ｂが形成されている。これらの埃排出溝４６ａ，４６ｂについても、埃排出溝孔４４が連通するクレードル１０の内部空間にそれぞれ連通されている。
【００２９】
なお、摺動面４２の中央に穿設されている溝孔４８は、アーム３２の爪部取付部３２ｃが挿通される部分であり、溝孔４８を介してクレードル１０の内部から延出されてきた爪部取付部３２ｃに爪部２４が固定される。したがって、爪部２４は、溝孔４８の長軸に沿って爪部取付部３２ｃが進退移動することにより、進退移動が可能となる。
【００３０】
爪収納部３８に収納される爪部２４は、図７の（Ａ）に示されるように、基部２４ｂの底面側の両角（すなわち、埃排出溝孔４４に対応する角）の縁端部が面取りされている。すなわち、爪部２４は、基部２４ｂの底面の埃排出溝孔４４に対向する位置（縁端部）の２か所に角部５０があり、爪部２４の２か所に角部５０に傾斜面５０ａが形成され、爪収納部３８の両壁３８ａ，３８ｂと、摺動面４２と、爪部２４の角部５０に形成された傾斜面５０ａとによって、埃排出溝孔４４に連通する三角柱形状の空間を形成している。傾斜面５０ａは、好ましくは、傾斜面５０ａの下端位置が埃排出溝孔４４内に位置し、摺動面４２の位置まで来ないようにすることが望ましい。
【００３１】
また、爪部２４の角部５０は、傾斜面５０ａに限らず、図７の（Ｂ）の様なＲ形状面５０ｂや、図７の（Ｃ）の様な逆Ｒ形状面５０ｃや、図７の（Ｄ）の様な四角く切り欠いた形状（切欠部）５０ｄなどとすることができる。いずれにしても、爪部２４の角部５０は、埃排出溝孔４４の上部に空間が形成される形状であればよい。
【００３２】
これにより、クレードル１０が図７の（Ａ）に示したように平置きの場合に、爪部２４によって爪収納部３８の中に引込まれた埃が爪部２４と摺動面４２との間に進入することなく、埃排出溝孔４４から排出されるようになる。これにより、埃が摺動面４２などに噛み込んでロック機構部が固着するといった可能性を大幅に低減することができる。
【００３３】
一方、クレードル１０を図８に示したように車両の壁に設置したときのように縦置きにした場合には、埃排出溝４６ｂが重力方向下方に位置することになる。これにより、クレードル１０に対して携帯情報端末１２を着脱するときに、爪部２４に付着して爪収納部３８の中に引込まれた埃は、埃排出溝４６ｂに進入し、そこからクレードル１０の内部を通って外部に排出される。また、埃が載置台１４の側から爪収納部３８の中に引込まれた場合、その埃は、埃排出溝孔４４からクレードル１０の内部を通って外部に排出される。したがって、クレードル１０の使用中に、埃が爪部２４と爪収納部３８の内壁や摺動面４２との間に挟まってロック機構部が動かなくなるということが大幅に低減される。
【００３４】
なお、上記の実施の形態では、埃排出溝４６ａ，４６ｂは、爪収納部３８の両壁３８ａ，３８ｂの摺動面４２から離れた位置に形成されているが、摺動面４２の位置とその反対側の位置との間の両壁３８ａ，３８ｂに１または複数形成されていてもよい。
【００３５】
また、上述の実施の形態は、実施の形態の要旨を逸脱しない範囲内において種々の変更を加えることができる。さらに、上述の実施の形態は、多数の変形、変更が当業者にとって可能であり、説明した正確な構成および応用例に限定されるものではない。
【符号の説明】
【００３６】
１０  クレードル
１２  携帯情報端末
１２ａ，１２ｂ  嵌合凹部
１４  載置台
１６  側面カバー
１８，２０，２２  側面突出カバー部
２４，２６  爪部
２４ａ，２６ａ  嵌合凸部
２４ｂ，２６ｂ  基部
２８，３０  ロックレバー
２８ｂ，３０ｂ  斜面
３０ａ  溝
３２，３４  アーム
３２ａ，３４ａ  スライドベース
３２ｂ，３４ｂ  壁
３２ｃ，３４ｃ  爪部取付部
３２ｄ，３４ｄ  ロックレバー取付部
３２ｅ，３４ｅ  ばね掛止部
３６  コイルばね
３８  爪収納部
３８ａ，３８ｂ  壁
４０  開口部
４２  摺動面
４４  埃排出溝孔
４６ａ，４６ｂ  埃排出溝
４８  溝孔
５０  角部
５０ａ  傾斜面
５０ｂ  Ｒ形状面
５０ｃ  逆Ｒ形状面
５０ｄ  切欠部
【図１】
2014073038.tif 000003
【図２】
2014073038.tif 000004
【図３】
2014073038.tif 000005
【図４】
2014073038.tif 000006
【図５】
2014073038.tif 000007
【図６】
2014073038.tif 000008
【図７】
2014073038.tif 000009
【図８】
2014073038.tif 000010